(57)【特許請求の範囲】
【請求項１】
記録媒体が収納されるカセット本体に、リーダー・ライター装置により所要の情報が非接触状態で記憶される非接触型記憶素子を着脱可能に備えた記録媒体収納カセットにおいて、
上記非接触型記憶素子をカード状にすると共に、
上記カセット本体の後面又は側面の内側に、当該後面又は側面と平行にスリット状取付部を、上記カセット本体の下面側から上面側に貫通して形成し、当該スリット状取付部に、上記カード状非接触型記憶素子を着脱可能に嵌挿係合して取付けること
を特徴とする記録媒体収納カセット。
【請求項２】
上記カード状非接触型記憶素子には係合凹部を設けると共に、
上記スリット状取付部には、上記係合凹部に着脱可能に係合して上記カード状非接触型記憶素子を係合保持する係合突部を設けること
を特徴とする請求項１に記載の記録媒体収納カセット。
【請求項３】
上記カード状非接触型記憶素子の上記スリット状取付部に対する挿入側の端縁に突片部を形成し、この突片部を上記スリット状取付部の一端口側に臨ませること
を特徴とする請求項１に記載の記録媒体収納カセット。
【請求項４】
上記非接触型記憶素子をカード状にすると共に上記カセット本体との色を異なるように形成すること
を特徴とする請求項１に記載の記録媒体収納カセット。
【請求項５】
記録媒体が収納されるカセット本体に、リーダー・ライター装置により所要の情報が非接触状態で記憶される非接触型記憶素子を着脱可能に備えた記録媒体収納カセットにおいて、
上記非接触型記憶素子をカード状にすると共に、
上記カセット本体の外面にスリット状取付部を設け、当該スリット状取付部をあり溝状に形成すると共に上記カード状非接触型記憶素子をあり状に形成し、このカード状非接触型記憶素子をスリット状取付部に対してあり差し状に着脱可能に取付けること
を特徴とする記録媒体収納カセット。
【発明の詳細な説明】
【０００１】
【発明の属する技術分野】
本発明は、ビデオテープ、オーディオテープ等のテープ状記録媒体が収納されるカセット、ビデオディスク、光ディスク、光磁気ディスク等のディスク状記録媒体が収納されるカセット等の記録媒体収納カセットに関し、カセットに収納される記録媒体の記録情報を容易に検索することができるようにしたものである。
【０００２】
【従来の技術】
従来、ビデオテープカセット等の記録媒体収納カセットにおいては収納されている記録媒体に記録された情報を検索する手段としては、カセットを記録再生装置に装填して、実際に再生し記録情報を検索するか、記録媒体に記録した際にカセットに貼付されているラベルに手書きで必要事項を書き込み、後で記載内容をもとに作業者が検索することが一般的であった。
【０００３】
これらの検索方法は手数を要し、多数のカセットのうちから所望の情報が記録されたカセットを検索するには時間が掛り、また、ラベルのスペースに数多くの記載事項を書き込むことは困難であるため、カセットに記憶装置（メモリー）を内蔵し、このメモリーに記録情報の所要のデータを記憶させておき、これを読出すことによりカセットに収納される記録媒体に記録された情報を迅速に検索できるように構成したビデオテープカセット等の記録媒体収納カセットが提案され、また、実施されつつある。
【０００４】
この従来のメモリー付きカセットとしては、カセット本体内部にメモリーＩＣを内蔵し、コンタクト部をカセット外面側に表出させてリーダー・ライター装置のコンタクト部とを直接接触させて、メモリーＩＣに対し所要の情報の読み出し、書き込みを行うように構成したものがある。
【０００５】
また、従来のメモリー付きカセットとしては、カセット本体の外面側に記録部を配設し、この記録部に対し所要の情報の書き込み、読み出しを磁気ヘッドの摺接により行うように構成したものと、光学ピックアップにより読出すように構成したものがある。
【０００６】
【発明が解決しようとする課題】
このようにメモリー付きカセットとして記憶装置としてのメモリーＩＣをカセット本体に内蔵した記録媒体収納カセットは、メモリーＩＣのコンタクト部をカセット本体の外面側に表出させているので、このコンタクト部の接点表面に塵埃が付着し接触不良が生じ易く、また、リーダー・ライター装置とは直接接触して接続する構成であるためリーダー・ライター装置のコンタクト部をサイズの異なるカセットに応じて移動するか、このコンタクト部をカセットの種類に応じて数多く備えた構成とする必要があり、リーダー・ライター装置側の構成が複雑になる等の問題がある。
【０００７】
そして、このメモリー付きカセットにおいては、メモリーＩＣがカセット本体の内部に固定されているので、カセット本体に収納される記録媒体としてのビデオテープ等が摩耗や損傷等で使用不可能となった場合はメモリーＩＣも同時に廃棄することになるので不経済でコスト高に繋がることになる。
【０００８】
また、メモリー部をカセット本体の外面側に配設した記録媒体収納カセットの場合は、記録情報の書き込み、読み出しにおいては、リーダー・ライター側の磁気ヘッド又は光学ピックアップ等とカセット本体側の何れか一方を移動しなければならず、このため移動機構が必要で構成が複雑になり、またこのメモリー付カセットの場合もメモリー部は互換性がなく、カセットの廃棄においての再利用は不可能である。
【０００９】
本発明はかかる点に鑑みてなされたもので、収納された記録媒体の記録情報が記憶される非接触型記憶素子を着脱可能に備えた記録媒体収納カセットを提供することを目的とする。
【００１０】
【課題を解決するための手段】
上記目的を達成するために本発明による記録媒体収納カセットは、記録媒体が収納されるカセット本体に、リーダー・ライター装置により所要の情報が非接触状態で記憶される非接触型記憶素子を着脱可能に備えた記録媒体収納カセットにおいて、非接触型記憶素子をカード状にすると共に、カセット本体の後面又は側面の内側に、その後面又は側面と平行にスリット状取付部を、カセット本体の下面側から上面側に貫通して形成し、スリット状取付部に、カード状非接触型記憶素子を着脱可能に嵌挿係合して取付けるように構成したものである。
【００１１】
このように、カセット本体に着脱可能とされた非接触型記憶素子を備え、その非接触型記憶素子をカード状に形成すると共に、カセット本体に形成したスリット状取付部に着脱可能に嵌挿係合して取付ける構成とすることにより、リーダー・ライター装置との間に接触不良が生じることなく、記憶素子に対する情報の書き込み、読み出しが常に確実に行え、また、サイズの異なるカセットに記憶素子を備えた場合においても１個のリーダー・ライター装置により書き込み、読み出しが行える。
【００１２】
そして、非接触型記憶素子はカセット本体に対して着脱可能であるから、カセット本体に収納される記録媒体が摩耗、損傷等により使用不可能となった場合は、非接触型記憶素子をカセット本体から取り外してカセット本体側を廃棄し、記憶素子は他の記録媒体収納カセットに再使用できる。
【００１３】
【発明の実施の形態】
以下、本発明の実施の形態を説明するに、本発明をビデオテープカセットに適用した場合の実施の形態例を図面を参照して説明する。
【００１４】
図１および図２において１はビデオテープカセットの全体を示し、このビデオテープカセット１は偏平筐体状のカセット本体２に一対のテープリール３，４に巻回された磁気テープを収納して構成されている。
【００１５】
カセット本体２は、上ハーフ５と下ハーフ６を筐体状に合体し、この合体される上下両ハーフ５，６の前面側にこの両ハーフ５，６に跨って凹状に形成されて磁気テープの一部が表出されるマウス部７とその両側開口部を開閉するカセット蓋８を前面側から上方向に回動可能に取付けて構成されており、このカセット本体２に磁気テープを巻回した１対のテープリール３，４が回転可能に収納され、このテープリール３，４のハブ部の下面側は下ハーフ６下面側に表出されている。
【００１６】
そして、本例においては、このように構成されるカセット本体２に非接触型記憶素子としての非接触型ＩＣメモリーカード１１が着脱可能に取付けられる。
【００１７】
この非接触型ＩＣメモリーカード１１は、図３及び図４に示すように、メモリーＩＣチップ１２をマウントしてアンテナパターン１３を形成した薄肉回路基板、本例ではフレキシブル回路基板１４の両面に紙或いは樹脂シートから形成される表面板１５，１６を接着剤により被着して積層し堅い板状に形成されている。なお、このメモリーカード１１は、フレキシブル回路基板１４を樹脂材によりモールド成形して板状に形成することができ、また、薄枠状に成形した一対の樹脂板の内側にフレキシブル回路基板１４を収納して合体し、板状に形成することもできる。
【００１８】
また、この非接触型ＩＣメモリーカード１１は、バッテリーレスであって後述するコイル状アンテナ部を備えたリーダー・ライター装置とのアンテナパターン１３とコイル状アンテナ部を介して電磁界結合される距離、即ち、通信距離は５〜１０ｃｍに設定してある。
【００１９】
このように構成される非接触型ＩＣメモリーカード１１は、全体として略四辺形状で一端縁、本例では上端縁の中央部に突片部１１ａが突出形成され、両側端縁の上部には係合凹部１１ｂ，１１ｃが形成されており、一方面の下端縁側の中央部には爪掛け部１１ｄが切込み状に形成されている。このメモリーカード１１は、前述したカセット本体２の後面側にテープリール３，４間に位置して着脱可能に嵌挿係合して取付けるため、突片部１１ａを含む縦幅寸法ａをカセット本体２の高さ寸法とほぼ等しいか、やや小に、また横幅寸法ｂはテープリール３，４間の最大間隔寸法より小に形成されている。
【００２０】
この非接触型ＩＣメモリーカード１１が嵌挿して取付けられるカセット本体２のスリット状取付部としてのメモリーカード取付部２１は、上下ハーフ５，６に跨って形成されている。このメモリーカード取付部２１は、図５及び図６に示すように、下ハーフ６側のスリット枠部２２と上ハーフ５側のスリット枠部２３によりスリット枠状に形成されており、下ハーフ６側のスリット枠部２２は下ハーフ６の下面側に開口されてこの開口部２２ａの周縁に凹状部２２ｂが形成され、この凹状部２２ｂの前側中央部には切込凹部２２ｃが形成されている。一方、上ハーフ５側のスリット枠部２３は上面側が閉塞され、この上面側の中央部には前述したメモリーカード１１の突片部１１ａが挿通される挿通口２３ａが形成され、この挿通口２３ａの表面側縁部に横方向に凹曲する凹部２３ｂが形成されている。また、このスリット枠部２３の両側壁部２３ｃ，２３ｄは、弾性的に撓むことができるように肉薄状に形成されてこの内面側には前述したメモリーカード１１の係合凹部１１ｂ，１１ｃに係合する係合突部２３ｅ，２３ｆが突設され、挿通口２３ａの前側内面にメモリーカード１１の突片部１１ａの前面に当接する突部２３ｇが突設されている。
【００２１】
このようにカセット本体２に形成されたメモリーカード取付部２１に非接触型ＩＣメモリーカード１１を取付けるには、このメモリーカード１１を上縁側、即ち突片部１１ａ側から下ハーフ６側のスリット枠部２２に、その開口部２２ａから周縁の凹状部２２ｂに沿って挿入して押し込むと、このスリット枠部２２から上ハーフ５側のスリット枠部２３に嵌挿されて上縁側の両角部が両側壁部２３ｃ，２３ｄの係合突部２３ｅ，２３ｆに突き当たる。
【００２２】
そこでメモリーカード１１をさらに押し込むと上縁側の両角部が両係合突部２３ｅ，２３ｆを押圧し、このため両側壁部２３ｃ，２３ｄが撓み変形して両係合突部２３ｅ，２３ｆは逃げる状態になって、メモリーカード１１は上ハーフ５側のスリット枠部２３の上端まで挿入され、この状態で突片部１１ａは上ハーフ５の上面側の挿通口２３ａに挿入されてその前面側が突部２３ｇに圧接されると共に、両側の係合凹部１１ｂ，１１ｃは両係合突部２３ｅ，２３ｆに対向して係合される。
【００２３】
このようにして非接触型ＩＣメモリーカード１１はカセット本体２のメモリーカード取付部２１に嵌挿することによりカセット本体２の後面と平行に位置した状態で保持され、この保持状態ではメモリーカード１１の下端縁は下ハーフ６の下面より内側に、また突片部１１ａの上端縁は上ハーフ５の上面より内側にそれぞれ位置し、外部部材が平面的には接触されないようになっている。即ち、カセット本体２の記録再生装置に対する着脱動作の支障とならず、また、メモリーカード１１自体の摩耗等が防止されるようになっている。
【００２４】
そして、この非接触型ＩＣメモリーカード１１は、下ハーフ６側においては下端縁面を開口部２２ａから、また、上ハーフ５側においては突片部１１ａの上端縁面を挿通口２３ａからそれぞれ見ることができるので、このメモリーカード１１の色彩を上下ハーフ５，６と異なる色彩、例えば上下ハーフ５，６は黒色系であるため、白色系とすることにより、カセット本体２にメモリーカード１１が取付けられているか否かを視覚により容易に確認することができる。
【００２５】
また、非接触型ＩＣメモリーカード１１をカセット本体２のメモリーカード取付部２１から取外す場合は、図５に二点鎖線で示すように上ハーフ５側において挿通口２３ａの表面側縁部の凹部２３ｂに硬貨Ｃを挿入して挿通口２３ａに臨むメモリーカード１１の突片部１１ａの上端縁面に突当て押圧することによりメモリーカード１１は下ハーフ６側に押圧されてスリット枠部２３の係合凸部２３ｅ，２３ｆに対する係合凹部１１ｂ，１１ｃの係合が、前述した場合と同様に側壁部２３ｃ，２３ｄの撓み変形により解除されて下ハーフ６側へ摺動され、この状態で下端縁側の爪掛け部１１ｄに爪を引掛けて下ハーフ６側のスリット枠部２２の開口部２２ａから引き出すことになる。
【００２６】
このように、カセット本体２に対して非接触型ＩＣメモリーカード１１は着脱可能に取付けられるが、このメモリーカード１１の取付方法の他例としては図７に示すように、カセット本体２の後面にメモリーカード１１をあり差し状に嵌合して取付けることができる。即ち、カセット本体２の後面に、上下ハーフ５，６に跨ってあり溝状の嵌合凹部３１を形成し、一方、メモリーカード１１をその上下端縁を傾斜端面１１ｄ，１１ｅに形成して縦断面あり状に形成し、このメモリーカード１１をカセット本体２の後面の嵌合凹部３１にあり差し状に嵌合して着脱可能とすることができる。
【００２７】
以上のようにカセット本体２に着脱可能に取付けられる非接触型ＩＣメモリーカード１１には非接触型リーダー・ライター装置と電磁界結合により所要の情報が書込まれ、また記憶情報が読出される。本例のビデオテープカセット１の場合は、図８に示すように、このビデオテープカセット１を記録及び／又は再生する記録再生装置４１に非接触型リーダー・ライター装置４２を装着して、この装置４２のコイル状のアンテナ部４２ａをビデオテープカセット１に取付けた非接触型ＩＣメモリーカード１１と対向、詳しくはメモリーカード１１のアンテナパターン１３と対向する位置に配置し、このアンテナ部４２ａと装置本体とはハーネス４２ｂにより接続しておく。そして、この非接触型リーダーライター装置４２によりメモリーカード１１のメモリーＩＣチップ１２に電磁界結合されるアンテナ部４２ａとアンテナパターン１３を介して撮影記録データを送信し、例えば、撮影日時、ショットナンバー、キャラクタ等を記録する。
【００２８】
このように、所要情報を記憶させた非接触型ＩＣメモリーカード１１を取付けたビデオテープカセット１は、再生することなく、非接触型リーダー・ライター装置４２によりメモリーカード１１の記憶情報を読出すことによりビデオテープの記録内容を知ることができる。特に、ビデオテープを編集する場合は、編集開始前にビデオテープを再生することなく、別のリーダー装置において記録内容を知ることができて編集効率が向上する。
【００２９】
また、本例のビデオテープカセット１においては、非接触型ＩＣメモリーカード１１をカセット本体２の後面に取付けたことにより、図８に実線と破線で示すようにカセットサイズが異なるものにおいても、非接触型リーダー・ライター装置４２のアンテナ部４２ａを移動することなく、一定位置に固定して設置しておけばよいので、リーダー・ライター装置の構成も簡単化される。
【００３０】
また、多数のビデオテープカセット１を保管し、このうちの所望のビデオテープカセット１を取り出す場合は、ビデオテープカセット側か非接触型リーダー・ライター装置の何れか一方を移動させることにより、検索することができ、特に、チェンジャー式記録再生装置に適用することによりビデオテープカセットの検索再生が迅速に行えることになる。
【００３１】
そして、本例においては、ビデオテープカセットがテープの摩耗、損傷等により使用不可能になった場合はカセット本体２から非接触型ＩＣメモリーカード１１を取り外し、カセット本体２側のみを廃棄し、メモリーカード１１は他のビデオテープカセットに再使用できて経済的にも省資源化の点でも有利になる。
【００３２】
以上、本発明の実施の形態の一例を説明したが本発明はこの例に限定されるものではなく、本発明の趣旨を逸脱しない範囲で種々変更できるものである。
【００３３】
例えば、非接触型ＩＣメモリーカードはカセット本体の後面側に限ることなく、側面側に着脱可能に取付けることができ、また、上面側、下面側に取付けてもよく、この場合はカセットのサイズが異なっても共通する部面、例えば前側中央部に取付けることが好ましい。
【００３４】
そして、本発明は、ビデオテープカセットのみに適用されるものではなく、オーディオ用テープカセット等の他のテープカセットにも適用できると共に、光ディスク、光磁気ディスク、ハード磁気ディスク等のディスクカセット（カートリッジ）にも同様に適用できるものである。
【００３５】
【発明の効果】
以上のように本発明によれば、カセット本体に着脱可能とされた非接触型記憶素子を備え、その非接触型記憶素子をカード状に形成すると共に、カセット本体に形成したスリット状取付部に着脱可能に嵌挿係合して取付ける構成としたことにより、カセット本体の表面の汚損、摩耗等に関係なく収納される記録媒体の記録内容の検索が安定して行え、また、記録媒体の摩耗、損傷等により使用不可能になった場合は、カセット本体側のみを廃棄し、記憶素子は取り外して再利用できて、経済的にも省資源化の点でも有利になる等の効果を有する。
【図面の簡単な説明】
【図１】本発明を適用した一例のビデオテープカセットの下面側斜視図で非接触型ＩＣメモリーカードを取り出した状態を示す。
【図２】図１に示すビデオテープカセットの上面側斜視図である。
【図３】本発明に適用する一例の非接触型ＩＣメモリーカードの一部截断した斜視図である。
【図４】図３に示す非接触型ＩＣメモリーカードの一部省略した拡大縦断面図である。
【図５】図１に示すビデオテープカセットの非接触型ＩＣメモリーカードを取付た部分の断面図である。
【図６】図５における縦断面図である。
【図７】他例のビデオテープカセットに非接触型ＩＣメモリーカードを取付けた状態を示す縦断面図である。
【図８】本発明を適用したビデオテープカセットを記録再生装置に装填した状態の説明図である。
【符号の説明】
１  ビデオテープカセット、２  カセット本体、５  上ハーフ、６  下ハーフ、１１  非接触型ＩＣメモリーカード、１１ａ  突片部、１１ｂ，１１ｃ  係合凹部、１２  メモリーＩＣチップ、１３  アンテナパターン、１４  回路基板、１５，１６  表面板、２１  メモリーカード取付部、２２  スリット枠部、２２ａ  開口部、２２ｂ  凹状部、２２ｃ  切込凹部、２３  スリット枠部、２３ａ挿通口、２３ｂ  凹部、２３ｃ，２３ｄ  肉薄状側壁部、２３ｅ，２３ｆ  係合凸部、２３ｇ  突部、４１  記録再生装置、４２  リーダー・ライター装置、４２ａ  アンテナ部
【図１】
0003550866.tif 000002
【図２】
0003550866.tif 000003
【図３】
0003550866.tif 000004
【図４】
0003550866.tif 000005
【図５】
0003550866.tif 000006
【図６】
0003550866.tif 000007
【図７】
0003550866.tif 000008
【図８】
0003550866.tif 000009